(57)【要約】【課題】住人に不愉快感をもたらさないような施錠状態表示部を備えた開口部の施錠構造を提供する。【解決手段】  建築物の開口部に設置されて該開口部を開閉する戸に設けられる本体部と、本体部に備えられて上記戸を施錠及び解錠する施解錠機構と、施解錠機構の施解錠状態を電気的に検知する施解錠検知手段と、開口部の開閉状態を電気的に検知する開閉検知手段と、施解錠検知手段と開閉検知手段からの検知信号を受けて施解錠機構の施解錠状態と開口部の開閉状態を表示する電気的表示手段とを具備せしめ、電気的表示手段を、戸が閉じられかつ施解錠機構が解錠されている状態を少なくとも表示する構成とする。【選択図】図２
2008274669.tif 000002
【特許請求の範囲】
【請求項１】
建築物の開口部に設置されて該開口部を開閉する戸に設けられる本体部と、
上記本体部に備えられて上記戸を施錠及び解錠する施解錠機構と、
上記施解錠機構の施解錠状態を電気的に検知する施解錠検知手段と、
上記開口部の開閉状態を電気的に検知する開閉検知手段と、
上記施解錠検知手段と上記開閉検知手段からの検知信号を受けて上記施解錠機構の施解錠状態を上記開口部の開閉状態と関連付けて表示する電気的表示手段とを具備し、
上記電気的表示手段が、上記戸が閉じられかつ施解錠機構が解錠されている状態を少なくとも表示する構成とされたことを特徴とする開口部の施錠構造。
【請求項２】
上記開閉検知手段が、上記戸に設けられた被検知体と、上記被検知体を検知する検知センサとを具備してなることを特徴とする請求項１に記載の開口部の施錠構造。
【請求項３】
上記施解錠検知手段が、施解錠機構に設けられた被検知体と、施解錠機構が施錠状態又は解錠状態にあるときに上記被検知体を検知する検知センサとを具備してなることを特徴とする請求項１又は２に記載の開口部の施錠構造。
【請求項４】
上記電気的表示手段が、上記開閉検知手段からの開閉検知信号と上記施解錠検知手段からの施解錠検知信号を処理して、上記戸が閉じられかつ施解錠機構が解錠されている状態と、上記戸が閉じられかつ施解錠機構が施錠されている状態とを判別して判別信号を出力する信号処理部を有することを特徴とする請求項１から３の何れか一項に記載の開口部の施錠構造。
【請求項５】
上記本体部の近傍にセンサ収納部を設け、該センサ収納部に、上記施解錠検知手段の検知センサと、上記開閉検知手段の検知センサを収納すると共に、該検知センサを駆動する電源部を取替え可能に収納したことを特徴とする請求項１から４の何れか一項に記載の開口部の施錠構造。
【請求項６】
請求項１から５の何れか一項に記載の開口部の施錠構造を備えたことを特徴とする住宅。
【発明の詳細な説明】
【技術分野】
【０００１】
本発明は、一般に建築物に設けられる開口部の施錠構造に係り、より詳細には施錠状態を電気的に表示する機能を備えた開口部の施錠構造に関する。
【背景技術】
【０００２】
近年、住宅における侵入盗犯罪が増加してきていることにより、住宅における防犯ニーズは非常に高くなってきている。これに対応するため、住宅等建物の開口部にかかわる部材の防犯性能の強化が望まれており、平成１６年には、防犯性能の高い建物部品の開発・普及に関する官民合同会議により、「防犯性能の高い建物部品目録」が公表されるなど、行政および民間で一丸となって対策が進められてきている。
一方、戸建住宅における犯罪手口は、ガラス破りが最も多く、ついで無締りによる犯罪が顕著であり、窓開口部の防犯強化は必須の課題である（非特許文献１）。
【０００３】
この開口部の防犯強化としては、窓の開閉を検知するマグネットセンサー、窓ガラスの破壊を検知するガラス破壊警報装置等が市販されており、また、これらのセンサーや人感センサー等をシステム化した警備会社によるセキュリティシステムなどが挙げられるが、これらはいずれも侵入盗によって犯罪が実施されたことを検知することを重視したものであり、どちらかと言えば、犯罪を未然に防ぐためのものではなかった。
【０００４】
無締り状態を予防するシステムとしては、引き違い窓等のクレセントの施錠状況を磁気センサーであるリードスイッチを用いて検知し、クレセントの施錠信号を親機に送信する子機に係る技術が特許文献１に開示されている。これは、無締りの予防という点では一定の目的を果たしているが、クレセントの施錠時に、クレセントの施錠を操作する操作レバーの回動部の回転を物理的にストップさせる補助ロック部の状態まで検知するものではなかった。クレセントが施錠状態で、かつ補助ロック部が未施錠状態であると、例えば、ガラスに数ミリ程度の穴をあけるだけで、細い棒等を挿入してクレセントの操作レバーを回転させることができ、その結果、狙われた開口部を短時間で容易に解錠されてしまい、折角の施錠機能が活かされないという課題があった。さらに、上記文献に開示されたクレセントの施錠状態を検知する技術は、複数の開口部の状態をセンシングするシステムの一部として構成されており、そのための通信手段も必要となり、利用するために利用者は高いコストを強いられていた。
【０００５】
また類似技術として特許文献２や非特許文献２に開示された技術があるが、これらは、主としてクレセント錠の空がけを防止することを目的としており、窓の開閉状態によって鍵の解錠状態の表示を区別する技術とは異なるものであった。
【非特許文献１】警察庁ホームページ：http://www.npa.go.jp/safetylife/seianki26/theme_a/index.html
【特許文献１】特開２００２−２１３１２２号公報
【特許文献２】特開２００４−２３２２９３号公報
【非特許文献２】松下電工製「クレセントセンサー」カタログ
【発明の開示】
【発明が解決しようとする課題】
【０００６】
本発明は、前述した従来の技術における不具合を少なくとも部分的に解消することを目的とするもので、住人が鍵の施錠状態を確認することができる電気的な表示部を備え、無締りを簡便かつ確実に防止することができる開口部の施錠構造を提供することを目的とする。
特に、本発明は、住人が通風目的などで意識的に窓等を開放している場合に、施錠状態を表示する電気的な表示部が目障りになったり、警告を受けているような不愉快な気持ちになることを防止することを目的とする。また、通風目的などで意識的に窓等を開放している状態と、窓を閉めたにもかかわらず施錠を忘れている状態を区別して視認できるようにすることを目的とする。
【課題を解決するための手段】
【０００７】
第一の発明によれば、建築物の開口部に設置されて該開口部を開閉する戸に設けられる本体部と、上記本体部に備えられて上記戸を施錠及び解錠する施解錠機構と、上記施解錠機構の施解錠状態を電気的に検知する施解錠検知手段と、上記開口部の開閉状態を電気的に検知する開閉検知手段と、上記施解錠検知手段と上記開閉検知手段からの検知信号を受けて上記施解錠機構の施解錠状態を上記開口部の開閉状態と関連付けて表示する電気的表示手段とを具備し、上記電気的表示手段が、上記戸が閉じられかつ施解錠機構が解錠されている状態を少なくとも表示する構成とされたことを特徴とする開口部の施錠構造が提供される。
ここで、建築物の開口部とは、住宅などの建築物の窓や玄関、勝手口等の出入り口のような、建築物の外部と内部を連通させ、人の出入り（侵入を含む）を可能にする開口部を意味する。戸とは、上記開口部に取付けられてこれを開閉できるようにした建具を意味し、窓体や玄関や勝手口の扉が例示される。
また、施解錠機構とは、一の戸部材と他の戸部材を係脱する係脱機構又は戸と開口部の枠体との間を係脱する係脱機構を意味する。戸の施解錠機構は、施解錠機構が一つのみの場合に限らず、複数の施解錠機構を具備する場合もある。例えば、引き違い障子付サッシのクレセント錠の場合は、操作レバーとクレセントからなる施解錠機構（場合によってはこれを「主施解錠機構」と呼ぶ）と、上記操作レバー等をロックする他の施解錠機構（場合によってはこれを「補助施解錠機構」と呼ぶ）とがある場合がある。そして、ここでは、施解錠機構が施錠されている場合とは、主施解錠機構と補助施解錠機構のうち少なくとも主施解錠機構が施錠されている場合を意味するが、好ましくは、主施解錠機構と補助施解錠機構の双方が施錠されている場合を施錠されている場合とする。
【０００８】
施解錠検知手段は、施解錠機構の施解錠状態を電気的に検知する手段で、上述のように複数の係脱機構を備えた施解錠機構の場合には、主施解錠機構と補助施解錠機構の双方が解錠されている解錠状態と、主施解錠機構のみならず補助施解錠機構も施錠されている施錠状態を検知することは必須であるが、更に主施解錠機構と補助施解錠機構の各状態を細かに検知するものであってもよい。該施解錠検知手段は、施解錠機構の施解錠操作によって生じる物理的な変位を、電気的に検知する手段であれば特に限定されるものではない。例えば、導電素子を用いて、施錠状態と解錠状態とを導電素子の接触・非接触の２状態とに連動させ、導電素子の電流を電気的に検知する方法や、磁気センサと磁石を用いて、施錠状態と解錠状態で磁石から磁気センサへ加えられる磁束密度の強弱を２状態に対応付けし、電気信号として取り出す方法などが挙げられる。磁気センサへ加える磁束密度の強弱は、磁石を近接・非近接とするほか、磁性体を磁石と磁気センサの間に挿入・隔離するなど、磁気的に強弱を付ける手段であれば特に限定されるものではない。また、磁気センサと磁石に代えて、発光素子と受光素子を用い、これらが互いに近接した位置の時にのみ受光素子に発光素子からの光が入力されるようにし、受光素子の出力信号を把握することにより施錠状態を監視することもできる。
開閉検知手段は、開口部の開閉状態を電気的に検知する手段で、戸の開閉によって生じる物理的な変位を、電気的に検知する手段であれば特に限定されるものではなく、よって、施解錠検知手段と同様に導電素子や磁石と磁気センサや、発光素子と受光素子などが用いられる。
【０００９】
電気的表示手段は、施解錠検知手段と上記開閉検知手段からの検知信号を受けて施解錠機構の施解錠状態と開口部の開閉状態を居住者等に告知できる表示をなしうる手段であれば如何なるものでも構わないが、例えば２〜３ｍ以上の距離において視認できる程度の輝度を有する電気的な光源を点灯、点滅等させて告知する手段が好適である。このような光源としては、例えばパイロットランプ、豆電球、ＬＥＤ、ＥＬ素子等であり、特にＬＥＤやＥＬ素子など、消費電力の小さいものが好適である。また、視認性を高めるため、光源の背面に反射板を設けたり、拡散板やレンズ等で光源を覆うことなどもできる。
電気的表示手段は、施解錠機構の施解錠状態と開口部の開閉状態を表示するものであるが、本発明においては、特に戸が閉じられかつ施解錠機構が解錠されている状態を少なくとも表示するものである。
更に詳細には、電気的表示手段は、上記のような光源の他、施解錠検知手段と上記開閉検知手段からの検知信号を受けて処理し施解錠機構の施解錠状態と開口部の開閉状態を判定して、光源に適切な信号を送る信号処理部を具備する。この信号処理部は、例えばＩＣから構成されるが、前述の施解錠検知手段及び開閉検知手段としてＩＣを備えたホールセンサなどを用いた場合には、センサの一部の構成が信号処理部の一部又は全部となる。
【００１０】
第二の発明によれば、第一の発明において、上記開閉検知手段が、上記戸に設けられた被検知体と、上記被検知体を検知する検知センサとを具備してなることを特徴とする開口部の施錠構造が提供される。
この発明では、開閉検知手段は、戸に設けた被検知体を検知センサにより検知することにより開口部の開閉状態を電気的に検知するものとされ、被検知体と検知センサは、前述した通り種々のタイプのものを利用できるが、特に磁石と磁気センサと組み合わせが好ましい。
【００１１】
第三の発明によれば、第一又は第二の発明において、上記施解錠検知手段が、施解錠機構に設けられた被検知体と、施解錠機構が施錠状態又は解錠状態にあるときに上記被検知体を検知する検知センサとを具備してなることを特徴とする開口部の施錠構造が提供される。
この発明では、施解錠機構に設けられた被検知体を検知センサにより検知することにより施解錠機構が施錠状態にあるか否かを判定するもので、開閉検知手段の場合と同様に、被検知体と検知センサは、前述した通り種々のタイプのものを利用できるが、特に磁石と磁気センサと組み合わせが好ましい。
【００１２】
ここで、開閉検知手段や施解錠検知手段に用いることができる磁石と磁気センサについて、説明を若干追加すると、磁石とは、地磁気よりも強い磁束密度を発する永久磁石の微小片であり、施錠構造の本体部の内部や施解錠機構の各種部材の内部、例えばクレセント構造であればその箱型の本体部の内部や操作レバーの内部に、設置可能なサイズであり、通常量産されているものであれば、特に限定されるものではない。例えば、希土類ネオジム系磁石、希土類サマリウム−コバルト系磁石、フェライト系磁石、アルニコ磁石、プラスチックマグネットなど、汎用の磁石が適用可能である。特に、施錠状態を検知する手段のユニットを小型化しやすいため、小さくても強磁場を発生するサマリウム−コバルト系やネオジム系の希土類磁石が好適である。また、磁気センサとは、上記永久磁石の磁場を所望とする近接距離において、判別するセンサーであれば特に限定されるものではないが、たとえば、リードスイッチ、磁気抵抗効果センサ、ホールセンサなどが挙げられる。なかでも、磁石の極性まで容易に判別でき、検知状態の多くすることが可能なホールセンサが好適に用いられる。
【００１３】
第四の発明によれば、第一から第三の発明の何れか一において、上記電気的表示手段が、上記開閉検知手段からの開閉検知信号と上記施解錠検知手段からの施解錠検知信号を処理して、上記戸が閉じられかつ施解錠機構が解錠されている状態と、上記戸が閉じられかつ施解錠機構が施錠されている状態とを判別して判別信号を出力する信号処理部を有することを特徴とする開口部の施錠構造が提供される。
第一の発明について説明したように、電気的表示手段は、電気的表示を直接的になすための光源等の手段の他、施解錠検知手段と上記開閉検知手段からの検知信号を受けて処理し施解錠機構の施解錠状態と開口部の開閉状態を判定して、光源に適切な信号を送る信号処理部を具備する。第四の発明では、信号処理部が、特に戸が閉じられかつ施解錠機構が解錠されている状態と、戸が閉じられかつ施解錠機構が施錠されている状態とを判別した判別信号を出力するものであることを規定する。
【００１４】
第五の発明によれば、第一から第四の発明の何れか一において、上記本体部の近傍にセンサ収納部を設け、該センサ収納部に、上記施解錠検知手段の検知センサと、上記開閉検知手段の検知センサを収納すると共に、該検知センサを駆動する電源部を取替え可能に収納したことを特徴とする開口部の施錠構造が提供される。
センサ収納部は、施解錠機構の検知ができる位置であれば、本体部近傍の何処に設置しても構わないが、好適には、本体部の上方又は下方に配置できる。
第六の発明によれば、第一から第五の発明の何れか一の開口部の施錠構造を備えたことを特徴とする住宅が提供される。
【発明の効果】
【００１５】
第一の発明によれば、施解錠検知手段に加えて、開口部の開閉状態を検知する開閉検知手段を設け、戸が閉じられかつ施解錠機構が解錠されている状態を少なくとも表示する構成としたので、解錠状態になっていても、住人等に真に警告する必要がある場合と警告をする必要があまりない場合とを判定することができ、例えば住人等が通風目的などで意識的に窓等を開放している場合に、施錠状態を表示する電気的な表示部が目障りになったり、警告を受けているような不愉快な気持ちになることが防止できる。
第二の発明によれば、戸に被検知体を設け、被検知体を検知することで戸の開閉を検知するようにしたので、戸の開閉を確実に検知することができる。
【００１６】
第三の発明によれば、施解錠機構に被検知体を設け、施解錠機構が施錠状態又は解錠状態にあるときに被検知体を検知するようにしたので、施錠機構の施解錠状態を確実に検知することができる。
第四の発明によれば、信号処理部をＩＣ等により構成することにより、信頼性に優れた施錠構造を得ることができる。
第五の発明によれば、検知センサを施解錠機構の本体部とは別のセンサ収納部に集め、またセンサ収納部には電源部も組み込んだので、電気配線が不要で構造が簡略であり、意匠性に優れ、またメインテナンスが容易である。また別体になっているので、リフォームによる増設もし易い。
第六の発明によれば、防犯性に優れた開口部の施錠構造を備えた住宅が提供される。
【発明を実施するための最良の形態】
【００１７】
以下、図面を参照して本発明の実施形態に係る開口部の施錠構造ついて説明する。
図１から図４は、本発明の一実施形態に係る引き違い障子サッシに設置されたクレセント錠からなる施錠構造を示すもので、図１はクレセント錠が施錠状態にある場合の概略正面図、図２は図１において紙面に対して左側斜めから見た斜視図で、クレセント錠を解錠状態とした場合の図、図３は回路構成を示す概略ブロック図である。
これらの図において、符号Ｔａは内側障子サッシの縦框、Ｔｂは外側障子サッシの縦框、Ｇはサッシガラスを示す。本実施形態に係る施錠構造は、内側障子サッシの縦框Ｔａに設けられた本体部１と、該本体部１に備えられて引き違い障子サッシを施錠及び解錠する施解錠機構２と、該施解錠機構２の施解錠状態を電気的に検知する施解錠検知手段３と、引き違い障子サッシの開閉状態を電気的に検知する開閉検知手段４と、施解錠検知手段３と開閉検知手段４からの検知信号を受けて施解錠機構２の施解錠状態を引き違い障子サッシの開閉状態と関連づけて表示する電気的表示手段５とを具備する。
【００１８】
本体部１は、通常のクレセント錠の本体部であって、内側障子サッシの縦框Ｔａの側面に固定して取り付けられた筺体を具備してなり、該筺体に施解錠機構２が設けられている。施解錠機構２は、施錠のためのフック部６ａを基端部側に備えると共に上記本体部１に軸部６ｂを中心に回動自在に軸支された操作レバー６を具備している。一方、外側障子サッシの縦框Ｔｂの召し合せ部には、上方から見て略コ字状をなし、上記フック部６ａが上方から嵌り込むフック受け部７が固定して取付けられており、操作レバー６を、上方に軸部６ｂを中心に回動させると、フック部６ａがフック受け部７に嵌まり込んで施錠がなされ（図１の状態）、その施錠状態から逆に操作レバー６を下方に軸部６ｂを中心に回動させると、フック部６ａがフック受け部７から離脱して解錠がなされる構造となっている（図２の状態）。
【００１９】
施解錠検知手段３は、上記操作レバー６の先端部に取り付けられた磁石（被検知体）８と、操作レバー６が施錠位置まで回動させられた位置において該磁石８を検知する磁気センサ（検知センサ）９とを具備してなる。この磁気センサ９は、操作レバー６が施錠位置に回動されたときにのみ磁石８を検知する位置であれば、何処に設置されても構わないが、本実施形態では、内側障子サッシの縦框Ｔａの側面であってクレセント錠の本体部１の上方側に、本体部１と同様に筺体からなるセンサ収納部１０をその下方部位が操作レバー６の先端部が達する位置にくるようにして固定して取り付け、そのセンサ収納部１０中の上記下方部位に磁気センサ９を配し、操作レバー６が施錠位置に回動させられると、磁石８が磁気センサ９に最も近接する配置とされている。また図では、磁石８を操作レバー６の縦框Ｔａに対向する面に取り付けているが、磁気センサ９により検知される限り、操作レバー６の内部や先端部の端面等に設けてもよい。
開閉検知手段４は、上記センサ収納部１０内の上部側に収納された磁気センサ（検知センサ）１１と、外側障子サッシのガラス部分であって、障子サッシが閉じられた状態で上記磁気センサ１１に最も近接し検知される部位に貼り付けられた磁石（被検知体）１２とを具備してなり、障子サッシが開放され、外側障子サッシが内側障子サッシからずれると、磁石１２が磁気センサ１１により検知されなくなる構造となっている。
【００２０】
電気的表示手段５は、屋外側から見えない、もしくは見難いが室内側からは容易に視認可能なようにセンサ収納部１０の室内側側面に設けられたＬＥＤ表示部１３と、センサ収納部１０の内部に組み込まれたＩＣ等からなる信号処理部１４とを具備してなる。また、センサ収納部１０には、取外し自在の蓋部を備えた電源部１５が形成され、該電源部に、センサ、ＬＥＤ等に対する電気供給源となるボタン電池や乾電池等が収納されている。更にセンサ収納部１０の上面には、ＬＥＤ表示部１３が点滅もしくは点灯を継続している状態においてその点滅もしくは点灯を一時的に停止させる一時停止ボタン１６が設けられている。
図３は上記施錠構造の回路構成を示すブロック図で、施解錠検知手段３と開閉検知手段４は電気的表示手段５の信号処理部１４に接続され、信号処理部１４は更に電気的表示手段５のＬＥＤ表示部１３に接続されている。信号処理部１４は、施解錠検知手段３から送られてきた解錠又は施錠信号と、開閉検知手段４から送られてきた開信号又は閉信号を処理して、表示信号をつくり、ＬＥＤ表示部１３に出力し、ＬＥＤ表示部１３は、その表示信号に基づいてＬＥＤを点滅又は点灯等させる。より具体的には、信号処理部１４は、施解錠機構の解錠信号と障子サッシの開信号が入力されたとき、緑色での点滅信号を発し、施解錠機構の解錠信号と障子サッシの閉信号が入力されたとき、赤色での点滅信号を発し、施解錠機構の施錠信号と障子サッシの閉信号が入力されたとき、緑色で点灯させ、例えば５秒等の一定時間後に消灯させる信号を発する。ＬＥＤ表示部１３は信号処理部１４からの信号に基づいて、赤色点滅、緑色点滅、緑色点灯後消灯の三状態に変化させられる構成となっている。なお、点滅間隔、点灯時間、点灯色については、三状態が適切に判別できれば、特に限定されるものではない。
【００２１】
また、信号処理部１４には上記一時停止ボタン１６も接続されており、このボタン１６を押すことによって信号処理部１４からのＬＥＤ表示部１３への出力が絶たれる構成とされている。また、信号処理部１４には、入力信号が何れかに変移すると一時停止ボタン１６による一時的な停止を解除する機能を具備せしめてもよく、このような構成とすることにより、一旦表示機能が停止させられても、利用者がクレセント錠を操作すれば、停止状態を意識的に解除することなく、戸締り確認機能が自動的に復旧することとなる。
【００２２】
次に、図４に示すフローチャートに従って、本実施形態に係る施錠構造の作用について説明する。
引き違い障子サッシが閉状態にあり施錠がなされている場合は、ＬＥＤ表示部１３は消灯している（ステップＳ１）。この状態においては、施解錠検知手段３により鍵の解錠がなされたか否かが判定されており（ステップＳ２）、施錠状態のままであるとＬＥＤ表示部１３は消灯状態のままであるが、住人等が施解錠機構２の操作レバー６を操作しこれを解錠すると、施解錠検知手段３の磁気センサ９が磁石８を検知して検知信号を電気的表示手段５の信号処理部１４に施解錠機構２の解錠信号を送る。このとき開閉検知手段４は磁気センサ１１が磁石１２を検知して障子サッシの閉信号を出力しているため、信号処理部１４は赤色点滅信号を発する（ステップＳ３）。この状態でも開閉検知手段４は引き違い障子サッシの開閉を判定しており（ステップＳ４）、磁気センサ１１が磁石１２を検知している間は障子サッシの閉信号が信号処理部１４に送られ、ＬＥＤ表示部１３の赤色点滅が継続するが、住人等が引き違い障子サッシを開放すると、磁気センサ１１が磁石１２を検知できなくなり、開閉検知手段４が障子サッシの開信号を信号処理部１４に送る。その結果、信号処理部１４は緑色点滅信号をＬＥＤ表示部１３に送り、ＬＥＤ表示部１３は緑色で点滅する。（ステップＳ５）、この状態は障子サッシが開放されている間、継続するが、住人等は、赤色点滅ではないので警告感を感じることはない。
【００２３】
一方、住人等が障子サッシを閉鎖すると、開閉検知手段３の磁気センサ１１がサッシガラスの磁石１２を検知し障子サッシの閉信号を信号処理部１４に送る（ステップＳ６）。信号処理部１４は、施解錠機構の解錠信号と障子サッシの閉信号を受け、赤色点滅信号をＬＥＤ表示部１３に送り、ＬＥＤ表示部１３を赤色で点滅させ（ステップＳ７）、施解錠機構から施錠信号が送られてくる間はこの状態を継続させる。住人等はこの赤色点滅によって警告され、操作レバー６を操作して施解錠機構２を施錠状態にする（ステップＳ８）。そして、施解錠機構２が施錠状態になると、磁気センサ９が磁石８を検知し、施錠信号を信号処理部１４に送る。信号処理部１４は、この施錠信号と障子サッシの閉信号に基づいて、ＬＥＤ表示部１３は、緑色で点灯し（ステップＳ９）、ついでタイマー作動によって例えば５秒等の一定時間が経過したかどうかが判定され（ステップＳ１０）、一定時間経過後に消灯し、最初の状態に戻る。
【００２４】
上記の実施形態では、施解錠機構２が解錠されている場合、ＬＥＤ表示部１３は赤色で点滅するが、解錠されている場合でも、引き違い障子サッシが開放されていることが検知されると、ＬＥＤ表示部１３は緑色点滅に切り替わる。緑色点滅は、赤色点滅の場合と比し住人が警告を受けている不愉快な気持ちになるのが防止される。よって、室内の空気の入れ換えなど、引き違い障子サッシの開放が意図的になされている場合など、住人等が不愉快な気持ちにならないで済む。そして、引き違い障子サッシが閉められると、施錠機構が解錠状態である場合は、侵入防止の観点から赤色点滅の警告状態となり、住人に確実に注意を喚起することができる。
更に上記の実施形態では、センサ類を施解錠機構２の本体部１とは別個のセンサ収納部１０に集め、またセンサ収納部１０には電源部１５を組み込んだので、電気配線が不要で構造が簡略であり、意匠性に優れ、またメインテナンスが容易である。
【００２５】
上記の実施形態においては、施解錠機構はクレセント錠としたが、クレセント錠には、施錠状態において操作レバーの回動を不可能にするための補助ロック部（補助施解錠機構）が備えられているのが一般的である。その補助ロック部は、操作レバーによる施解錠機構（主施解錠機構）の操作とは別個に操作が必要とされるタイプと、操作レバーの操作により施解錠機構を施錠すると、連係してロックされるタイプがあり、上記の実施形態におけるように、操作レバーの回動により施解錠を検知する場合は、後者のレバー操作に連係して施錠されるものを利用するのが好ましい。
よって、考えられる本発明の第二の実施形態は、補助ロック部の操作が独立して必要な施解錠構造で、この場合は、操作レバーによる施解錠機構が施錠されているだけでは施錠されたとは判定せず、この補助ロック部がロックされて始めて施錠が完了したと判定する。
【００２６】
図５はこの実施形態に係る施錠構造の補助ロック部分を示すもので、第一の実施形態と同一の部分については同じ符号を用いて説明を省略する。図中２０は、操作レバー６が施錠位置まで回動させられている状態において本体部１に矢印ａで示される方向にスライド可能に設けられ、その状態において操作レバー６の回動を不能にする補助ロック部であり、図５において実線で示されているスライド位置では、補助ロック部２０はロック状態にあり、操作レバー６は回動できない状態であるが、図５において鎖線で示されるスライド位置では、操作レバー６は下方に向けて回動可能となっている。本実施形態では、施解錠機構２の施解錠検知手段３は、補助ロック部２０に設けられた磁石２１と、本体部１内に配された磁気センサ２２とを具備してなり、磁気センサ２２は、補助ロック部２０が非ロック状態にあるときは磁石２１を検知できず、補助ロック部２０がロック位置に移動させられたときに磁石２１を検知できる位置に配置されている。この施解錠検知手段３が接続されている電気的表示手段や開閉検知手段等は、図５においては図示しておらず、前の実施形態の場合と同様であるが、前の実施形態では、施解錠機構２が備えられた本体部１とは別にセンサ収納部１０を設け、電気的表示手段や開閉検知手段等をセンサ収納部１０内に収納したが、本実施形態では、センサ収納部を別個には設けず、本体部１を上方に長く延長し、その中に、上記の磁気センサ２２と共に、電気的表示手段や開閉検知手段等を収納している。本体部１は完全に一つの筺状体としてもよいし、施解錠機構を収容する部分とセンサ部分からなる筺状体を一体に組み合わせたものでもよい。
なお、前の実施形態と同じようにセンサ収納部１０を例えば本体部１の上方位置に別に設け、補助ロック部の可動部分（スライド操作部）を上方にスライドさせた状態でその上端がセンサ収納部１０に近接するようにセンサ収納部１０に向けて延長して形成し、その上端近傍に磁石を取付け、センサ収納部１０内に配置した磁気センサによって該磁石を検知して、可動部分の移動を検知し、補助ロック部の施解錠を判定するようにしてもよい。
【００２７】
この実施形態における作用は、第一の実施形態における場合と同様であり、施解錠機構２の補助ロック部２０が非ロック状態にあるときは、ＬＥＤ表示部１３は赤色で点滅するが、補助ロック部２０が非ロック状態にある場合でも、開閉検知手段４により引き違い障子サッシが開放されていることが検知されると、ＬＥＤ表示部１３は緑色点滅に切り替わる。緑色点滅は、赤色点滅の場合と比し住人が警告を受けている不愉快な気持ちになるのが防止される。そして、引き違い障子サッシが閉められ、開閉検知手段４により引き違い障子サッシの閉鎖が確認されても、施解錠機構２の補助ロック部２０が非ロック状態である場合は、盗難防止の観点から赤色点滅の警告状態となり、住人に確実に注意を喚起することができる。
【００２８】
本発明の第三の実施形態に係る施錠構造は、戸が竪辷り出し窓である場合の施錠構造で、図６から図９にその概略構成を示す。図６は、竪辷り出し窓全体をほぼ正面から見た図、図７は図６の要部の正面図、図８は図７におけるＶＩＩＩ−ＶＩＩＩ線に沿って見た図、図９は図７におけるＩＸ−ＩＸ線に沿って見た図であり、これらの図中、３０は建物の開口部に設けられた窓枠、３１は窓枠３０に該窓枠３０の一側近傍の基端側の鉛直軸を中心に建物外方向に回動自在に取り付けられた窓本体である。施錠構造は、上記窓枠３０の他側に設けられており、窓枠３０に固定して取り付けられた筺体からなる本体部３２と、該本体部３２に取り付けられた軸に上下に一定の範囲で回動自在に取り付けられた操作レバー３３と、操作レバー３３と一体に回動自在であるが本体部３２の操作レバー３３とは反対側に突出させられたＵ字状のフック部３４と、上方側にフック部３４に係止される係止ピン４５ａを備え、下方側に窓本体３１に設けられた係止ピン３５が係脱自在に嵌入されるピン受け部４５ｂを備え、窓枠３０に上下に摺動自在に取り付けられたスライド部材４５とを具備しており、操作レバー３３を下方（図８中反時計回り方向）に回動させると、Ｕ字状のフック部３４が上方に回動させられ、係止ピン４５ａがフック部３４に係止されたスライド部材４５が上方に摺動させられ、窓本体３１に設けられた係止ピン３５が、上方に移動してくるピン受け部４５ｂに嵌入して係止がなされ、施錠がなされる一方、操作レバー３３を上方（図８中時計回り方向）に回動させると、フック部３４が下方に回動させられ、スライド部材４５が下方に摺動してピン受け部４５ｂが下方に移動させられて、窓本体３１に設けられた係止ピン３５から離脱せしめられ、施錠が解かれる構造となっている。また、上記本体部３２には、操作レバー３３を上方に回動させている状態でのみ上下方向に摺動可能とされ、下方位置で操作レバー３３の回動を不能にし上方位置で操作レバー３３の回動を可能にする補助ロック部３６が取り付けられている。更に、窓枠３０の下側部位には、竪辷り出し用のオペレーター３７が備えられている。
【００２９】
本実施形態に係る施錠構造は、上記従来から周知の施錠構造に付設されるもので、上記補助ロック部３６の上面側に磁石３８が貼り付けられると共に、窓枠３０の上記本体部３２が取り付けられた位置の上方部位には、筺体からなるセンサ収納部３９が取り付けられ、該センサ収納部３９内には、上記補助ロック部３６に取り付けた磁石３８を、補助ロック部３６がロックされないで上方位置にあるときにのみ検知する磁気センサ４０が配設されており、該磁石３８と磁気センサ４０が施錠機構の施解錠検知手段３を構成している。そして、本実施形態では、磁気センサ４０が磁石３８を検知したときに解錠信号が出力され、磁気センサ４０が磁石３８を検知できなかったときに施錠信号が発せられる構成とされている。また、上記センサ収納部３９の内部で窓本体３１に対向する側には磁気センサ４１が収納されると共に、上記窓本体３１の上記センサ収納部３９に近接しうる側には、磁石４２が貼り付けられ、該磁石４２と磁気センサ４１が窓の開閉検知手段４を構成している。なお、上記では磁石３８、４２は取付箇所に貼り付けたが、取付箇所に埋め込んでもよい。
更に上記センサ収納部３９には、センサ収納部３９の室内側から視認可能な位置に設けられたＬＥＤ表示部４３と、センサ収納部３９の内部に組み込まれたＩＣからなる信号処理部（図示せず）と、センサ、ＬＥＤ等に対する電気供給源となるボタン電池や乾電池等が取外し可能に収納された電源部（図示せず）と、ＬＥＤ表示部４３が点滅もしくは点灯を継続している状態において点滅もしくは点灯を一時的に停止させる一時停止ボタン４４が設けられ、これらが電気的表示手段５を構成し、第一の実施形態の場合と同様の作用をなす構造とされている。
【００３０】
すなわち、窓が閉められ、施錠されている状態においては、施解錠検知手段３の磁気センサ４０は補助ロック部３６上の磁石３８を検知できない状態にあるので施錠信号が発せられ、開閉検知手段４の磁気センサ４１は窓本体３１の磁石４２を検知して閉信号が発せられており、ＬＥＤ表示部４３は消灯状態にある。この状態から、施錠機構の補助ロック部３６が上方に摺動されてロックが解除されると、磁気センサ４０が磁石３８を検知し、解錠信号が信号処理部に送られる。その結果、ＬＥＤ表示部４３は、赤色点滅状態になる。住人等が窓を開放すると、開閉検知手段４の磁気センサ４１が磁石４２を検知できなくなり、窓の開信号が信号処理部に送られる。その結果、ＬＥＤ表示部４３は緑色点滅状態になる。よって、住人等は、警告を受けている不愉快な気持ちにならないで、換気等を行うことができる。一方、住人等が窓を閉めると、開閉検知手段４の磁気センサ４１が窓本体３１の磁石４２を検知して閉信号を信号処理部に送り、ＬＥＤ表示部４３は再び赤色点滅状態になる。そして、住人等が施錠し、補助ロック部３６を下方に摺動させてロックすると、施錠機構の施錠信号が信号処理部に送られ、ＬＥＤ表示部４３が緑色に点灯し、例えば５秒等の一定時間が経過すると、消灯する。このような施錠構造によれば、住人等は換気等のために窓の開放を行っても不愉快な気持ちになることはなく、通常の窓開閉操作を行うことができ、また窓が閉められているのに施錠ができていないときは赤色点滅により警告がなされるので、優れた防犯効果を期待できる。またセンサ類を施解錠機構の本体部３２とは別個のセンサ収納部３９に集め、またセンサ収納部３９には電源部を取替え自在に組み込んだので、電気配線が不要で構造が簡略であり、意匠性に優れ、またメインテナンスが容易である。
【００３１】
上記の実施形態では、補助ロック部３６が非ロック状態にあるときに磁石を磁気センサが検知するようにしたが、磁石と磁気センサの配置の変更等により、補助ロック部３６がロック状態にあるときに磁石が磁気センサが検知するような構造としてもよいし、補助ロック部の上下移動ではなく、操作レバー３３の回動を検知して施解錠検知手段としてもよい。
更に上記においては本発明の施錠構造を引き違い障子サッシと竪辷り出し窓に適用した態様を示したが、他の種類の窓等に適用することも勿論可能である。要は、窓等の戸の施錠解錠と戸の開閉を検知して戸の施錠信号と開閉信号を別個に取り出し、それを元にして、戸の施錠と戸の開閉を区別して戸の状態を住人等により詳しく告知できるシステムであればよい。
【図面の簡単な説明】
【００３２】
【図１】本発明の第一の実施形態に係るクレセント錠からなる施錠構造を示す概略正面図で、クレセント錠が施錠状態にある図である。
【図２】図１を紙面に向かって左から見た斜視図で、クレセント錠が解錠状態にある場合の図である。
【図３】本発明の第一の実施形態に係る施錠構造の回路構成を示すブロック図である。
【図４】本発明の第一の実施形態に係る施錠構造の作動態様を説明するためのフローチャートである。
【図５】本発明の第二の実施形態に係る開口部の施錠構造を示す概略図で、クレセント錠の補助ロック部を示す側面図である。
【図６】本発明の第三の実施形態に係る開口部の施錠構造を示す概略正面図である。
【図７】図６の要部を拡大した図である。
【図８】図７のＶＩＩＩ−ＶＩＩＩ線に沿って見た図である。
【図９】図７のＩＸ−ＩＸ線に沿って見た概略図である。
【符号の説明】
【００３３】
Ｔａ                            内側障子サッシの縦框
Ｔｂ                            外側障子サッシの縦框
Ｇ                              サッシガラス
１、３２                        本体部
２                              施解錠機構
３                              施解錠検知手段
４                              開閉検知手段
５                              電気的表示手段
６、３３                        操作レバー
６ａ、３４                      フック部
６ｂ                            軸部
７                              フック受け部
８、１２、２１、３８、４２      磁石
９、１１、２２、４０、４１      磁気センサ
１０、３９                      センサ収納部
１３、４３                      ＬＥＤ表示部
１４                            信号処理部
１５                            電源部
１６、４４                      一時停止ボタン
２０、３６                      補助ロック部
３０                            窓枠
３１                            窓本体
３５、４５ａ                    係止ピン
３７                            オペレーター
４５                            スライド部材
４５ｂ                          ピン受け部
【図１】
2008274669.tif 000003
【図２】
2008274669.tif 000004
【図３】
2008274669.tif 000005
【図４】
2008274669.tif 000006
【図５】
2008274669.tif 000007
【図６】
2008274669.tif 000008
【図７】
2008274669.tif 000009
【図８】
2008274669.tif 000010
【図９】
2008274669.tif 000011